(57)【特許請求の範囲】
【請求項１】
リソースマッピング方法であって、
連続キャリア周波数間のガードサブキャリアを物理リソースユニットとすることと、
前記物理リソースユニットをロジックリソースユニットとしてマッピングする場合に、前記物理リソースユニットに対してサブバンドパーティション及びミニバンド置換を行わないこととを含み
前記物理リソースユニットは、前記物理リソースユニットが位置するキャリア周波数の０個目の周波数パーティションに属する
ことを特徴とするリソースマッピング方法。
【請求項２】
前記方法は、
非連続キャリア周波数間のガードサブキャリアをキャリア周波数間のガードに用い、且つ非連続キャリア周波数間のガードサブキャリアを物理リソースユニットとしてマッピングしないことを更に含む
ことを特徴とする請求項１に記載の方法。
【請求項３】
前記ガードサブキャリアは、前記連続キャリア周波数間の全部又は一部のガードサブキャリアである
ことを特徴とする請求項１に記載の方法。
【請求項４】
前記連続キャリア周波数間の周波数間隔はサブキャリア間隔の整数倍である
ことを特徴とする請求項１に記載の方法。
【請求項５】
ロジックリソースユニットマッピングを行う場合に、前記物理リソースユニットは、ＤＲＵ割り当て、サブキャリア置換及びＣＲＵ割り当ての少なくとも１つの動作を単独で行う
ことを特徴とする請求項１に記載の方法。
【請求項６】
前記ロジックリソースユニットのタイプは、連続リソースユニット、分散リソースユニットの少なくとも１つを含むことを特徴とする
請求項１に記載の方法。
【請求項７】
ロジックユニットマッピングを行う前に、
システムの事前割り当て又は制御チャンネルの制御情報に応じてロジックユニットのタイプを確定することを更に含む
ことを特徴とする請求項６に記載の方法。
【請求項８】
確定したロジックユニットタイプが分散リソースユニットであり、且つロジックユニットマッピングを行うときに、所定サブキャリアマッピング規則に応じて前記ガードサブキャリアにマッピングされた物理リソースユニットを分散リソースユニットとしてマッピングする
ことを特徴とする請求項７に記載の方法。
【請求項９】
前記制御情報は、ロジックリソースユニットタイプを指示するための指示ビットを含み、且つ前記指示ビットは１つ以上のキャリア周波数のガードサブキャリアにマッピングされた物理リソースユニットがマッピングする必要なロジックリソースユニットタイプを指示することに用いられる
ことを特徴とする請求項７に記載の方法。
【請求項１０】
前記連続リソースユニットに対して順位付け及び番号付け、及び／又は分散リソースユニットに対して順位付け及び番号付けを行うことを更に含むことを特徴とする
請求項６に記載の方法。
【請求項１１】
前記連続キャリア周波数は、２個の隣接するキャリア周波数であり、且つ当該２個のキャリア周波数間のガードサブキャリアの周波数領域間隔は所定値以下である
ことを特徴とする請求項１〜１０のいずれか１項に記載の方法。
【請求項１２】
システムの事前割り当て、制御チャンネルの制御情報、管理メッセージのいずれか１つに応じて物理リソースユニットとしてのガードサブキャリアの数量及び／又は識別子を指示する
ことを特徴とする請求項１〜１０のいずれか１項に記載の方法。
【請求項１３】
システムの事前割り当て、制御チャンネルの制御情報、管理メッセージのいずれか１つに応じて前記連続キャリア周波数間のガードサブキャリアを物理リソースユニットとするかを指示する
ことを特徴とする請求項１〜１０のいずれか１項に記載の方法。
【請求項１４】
システムの事前割り当て、制御チャンネルの制御情報、管理メッセージのいずれか１つに応じて前記物理リソースユニットが属する周波数パーティションを指示する
ことを特徴とする請求項１〜１０のいずれか１項に記載の方法。
【発明の詳細な説明】
【技術分野】
【０００１】
本発明は通信分野に関し、特にリソースマッピング方法に関する。
【背景技術】
【０００２】
無線通信システムでは、基地局は端末にサービスを提供する装置である。一般的に、基地局はアップ、ダウンリンクを介して端末と通信を行う。ダウン（下り）は基地局から端末に向かう方向であり、アップ（上り）は端末から基地局に向かう方向である。また、複数の端末は同時にアップリンクを介して基地局にデータを送信することができ、ダウンリンクを介して同時に基地局からデータを受信することができる。基地局は端末とのアップ／ダウン通信を実現するために、当該基地局から端末までのダウン伝送時のリソース割り当て情報、及び端末から基地局までのアップ伝送時に使用可能なリソース割り当て情報等を与えられる。一般的に、リソース割り当て情報は、端末に知らせる必要がある実際の物理リソース位置及び伝送方法等のパラメーター情報を含んでいる。異なる通信システムはリソース割り当て及びマッピングに対する要求も異なり、特定技術に基づいて実現された通信システムは具体的なリソース割り当て及びリソースマッピングにも特定の要求を有している。
【０００３】
無線通信技術の発展につれて、ユーザーは伝送速度に対する要求にも更に高い要求を持つようになってきている。例えば、国際移動電気通信−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００：Ｍ−２０００）システムとスーパーＩＭＴ−２０００システムとのアーキテクチャとの総体的な目標において、スーパーＩＭＴ−２０００システムでは、端末が高速移動する場合に１００Ｍｂｉｔｓ／ｓの速度に達し、端末が低速移動する場合に１Ｇｂｉｔｓ／ｓの速度に達することが要求される。このような速度要求を満たすために、システムは更に広い帯域幅を提供することが必要とされる。しかしながら、多様の通信システムが共存することによって無線周波数スペクトルリソースが日に々に不足してきている。ＩＭＴ−２０００システムに用いられるより広い帯域幅は、一般的に、連続の広帯域幅と非連続の広帯域幅との二種類がある。
【０００４】
端末側では、異なる端末の処理能力は異なっていて、ある端末は連続の広帯域幅を処理できるが、ある端末はより小さい帯域幅しか処理できないため、キャリア周波数のハンドオーバーを介して異なるキャリア周波数においてデータ受送信を実現する。従って、更に高い伝送速度を提供し、且つ異なるタイプの端末にサポートを提供するために、基地局は、例えば、マルチキャリア周波数の制御、ハンドオーバー管理などのマルチキャリア（Ｍｕｌｔｉ−Ｃａｒｒｉｅｒ）周波数動作をサポートする必要がある。
【０００５】
現在、マルチキャリア周波数動作は現行無線通信における重点的な研究対象になっている。現在、主なキャリアマッピング技術は、主に単キャリアに対して適用されている。しかしながら、マルチキャリア周波数のリソースマッピングプロセス（特に直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｄｄｒｅｓｓ：ＯＦＤＭＡ）に基づく無線通信システムにおけるリソースマッピングプロセス）は単キャリアのリソースマッピングよりもっと複雑である。
【０００６】
具体的には、ＯＦＤＭＡシステムはマルチキャリアシステムに属し、ＯＦＤＭＡシステムにおける各シンボルは複数のサブキャリアを含んでおり、その干渉制御技術はより柔軟かつ複雑であり、部分的周波数繰り返し（Ｆｒａｃｔｉｏｎａｌ  Ｆｒｅｑｕｅｎｃｙ  Ｒｅｕｓｅ：ＦＦＲ）技術を用いて良好なカバリッジ及びより高い周波数スペクトル利用効率を実現する。
【０００７】
ＯＦＤＭＡシステムのようなマルチキャリアシステムは様々なメリットを有しているが、関連技術において、いかにしてマルチキャリアシステムに基づいてリソースマッピングを行うかの解決策はまだ提案されていない。
【発明の概要】
【発明が解決しようとする課題】
【０００８】
関連技術においてマルチキャリアシステムでリソースマッピングを実現できない問題に対し、本発明の主な目的は、上記した問題における少なくとも１つを解決するためのリソースマッピング方法を提供することにある。
【０００９】
本発明の一つの側面に応じて、リソースマッピング方法が提供される。
本発明に係るリソースマッピング方法は、連続キャリア周波数間のガードサブキャリアを物理リソースユニットとし、非連続キャリア周波数間のガードサブキャリアをキャリア周波数間のガードに用い、且つ当該ガードサブキャリアを物理リソースユニットとしてマッピングしないことを含む。
【００１０】
ガードサブキャリアは、連続キャリア周波数間の全部又は一部のガードサブキャリアであってもよい。また、連続キャリア周波数間の周波数間隔はサブキャリア間隔の整数倍であってもよい。
【００１１】
物理リソースユニットは当該物理リソースユニットが位置するキャリア周波数の０個目の周波数パーティションに属してもよく、また、物理リソースユニットは当該物理リソースユニットが位置するキャリア周波数の０個目の周波数パーティション以外のその他の一部又は全部の周波数パーティションに属してもよい。
【００１２】
好ましくは、物理リソースユニットをロジックリソースユニットとしてマッピングする場合に、物理リソースユニットに対してサブバンドパーティション及び／又はミニバンド置換を行わなくてもよい。
【００１３】
好ましくは、ロジックリソースユニットマッピングを行う場合に、物理リソースユニットはＤＲＵ割り当て、サブキャリア置換及びＣＲＵ割り当ての動作の少なくとも１つを単独で行ってもよい。
【００１４】
ロジックリソースユニットのタイプは、連続リソースユニット、分散リソースユニットの少なくとも１つを含んでいてもよい。
【００１５】
更に、ロジックユニットマッピングを行う前、上記した方法は、システムの事前割り当て、又は制御チャンネルの制御情報に応じてロジックユニットのタイプを確定することを更に含んでいてもよい。
【００１６】
確定したロジックユニットタイプが分散リソースユニットである場合、ロジックユニットマッピングを行うときに、所定サブキャリアマッピング規則に応じてガードサブキャリアにマッピングされた物理リソースユニットを分散リソースユニットとしてマッピングしてもよい。
【００１７】
好ましくは、制御情報はロジックリソースユニットタイプを指示するための指示ビットを含み、且つ指示ビットは１つ以上のキャリア周波数のガードサブキャリアにマッピングされた物理リソースユニットがマッピングするのに必要なロジックリソースユニットタイプを指示することに用いられる。
【００１８】
更に、上記した方法は、連続リソースユニットに対して順位付け及び番号付け、及び／又は分散リソースユニットに対して順位付け及び番号付けを行うことを更に含んでいてもよい。
【００１９】
連続キャリア周波数は、２個の隣接するキャリア周波数であり、且つ当該２個のキャリア周波数間のガードサブキャリアの周波数領域間隔は所定値以下であってもよい。
【００２０】
好ましくは、システムの事前割り当て、制御チャンネルの制御情報、管理メッセージのいずれか１つに応じて物理リソースユニットとしてのガードサブキャリアの数量及び／又は識別子を指示してもよい。
【００２１】
好ましくは、システムの事前割り当て、制御チャンネルの制御情報、管理メッセージのいずれか１つに応じて連続キャリア周波数間のガードサブキャリアを物理リソースユニットとするかを指示してもよい。
【００２２】
好ましくは、システムの事前割り当て、制御チャンネルの制御情報、管理メッセージのいずれか１つに応じて物理リソースユニットが属する周波数パーティションを指示してもよい。
【００２３】
本発明の上記した技術的なスキームを用い、マルチキャリアシステムに対してリソースマッピングを行う場合に、連続キャリア周波数間のガードサブキャリアを物理リソースユニットとしてマッピングし、非連続のキャリア周波数間のガードサブキャリアの元の機能を維持する。これにより、マルチキャリアシステムでリソースマッピングを行うことができない問題が解決され、マルチキャリアシステムにおいて無線リソースユニットのリソースマッピングプロセスが標準化され、周波数スペクトルリソース全体の使用がより柔軟かつ十分となり、システムの周波数スペクトル利用効率を向上させることができる。
【図面の簡単な説明】
【００２４】
【図１Ａ】マルチキャリアシステムを示す図である。
【図１Ｂ】隣接キャリア帯域幅の隣接キャリアを示す図である。
【図２Ａ】ＯＦＤＭＡ無線通信システムのフレーム構造の１つの具体的な実例を示す図である。
【図２Ｂ】５ＭＨｚのＯＦＤＭＡシステムにおいて１つのサブフレームにおける第１の物理リソースユニット構成を示す図である。
【図２Ｃ】５ＭＨｚのＯＦＤＭＡシステムにおいて物理リソースユニットに対してマッピングを行なってロジックリソースユニットを得ることを示す図である。
【図３】単キャリア５ＭＨｚ帯域幅（周波数パーティション数は１であり、即ちＦＰ０のみである）においてリソースマッピングを示す図である。
【図４】本発明実施例において２つの隣接する５ＭＨｚ帯域幅（その周波数パーティション数は全部１であり、即ちいずれもＦＰ０のみである）のガードサブキャリアリソースブロックのマッピングを示す図である。
【図５】本発明実施例において２つの隣接する１０ＭＨｚ帯域幅のガードサブキャリアリソースブロックのリソースマッピングプロセスを示す図である。
【図６】本発明実施例において１つの５ＭＨｚ帯域幅とそれに隣接する１つの１０ＭＨｚ帯域幅とのマルチキャリアシステムのリソースマッピングプロセスを示す図である。
【図７】本発明実施例において２つの隣接する５ＭＨｚ帯域幅の他のリソースマッピングプロセスを示す図である。
【図８】本発明実施例において２つの隣接する１０ＭＨｚ帯域幅のマルチキャリアシステム他のリソースマッピングプロセスを示す図である。
【図９】本発明実施例において２つの隣接する１０ＭＨｚ帯域幅のガードサブキャリアリソースブロックのリソースマッピングプロセスの他の例を示す図である。
【図１０】本発明実施例において２つの隣接する１０ＭＨｚ帯域幅のガードサブキャリアが広帯域幅モードである場合のリソースマッピングプロセスを示す図である。
【図１１】本発明実施例において２つの隣接する２０ＭＨｚ帯域幅のガードサブキャリアリソースマッピングプロセスを示す図である。
【図１２】本発明実施例において２つの隣接する２０ＭＨｚ帯域幅のガードサブキャリアリソースマッピングプロセスを示す図である。
【図１３】本発明実施例において２つの隣接する２０ＭＨｚ帯域幅のガードサブキャリアが広帯域幅モードである場合のリソースマッピングプロセスを示す図である。
【図１４】本発明実施例において２つの隣接する５ＭＨｚが広帯域幅である場合に不規則ＰＲＵを形成するリソースマッピングを示す図である。
【図１５】本発明実施例において２つの隣接する５ＭＨｚ帯域幅のマルチキャリア周波数無線通信システムが非規則ＰＲＵを使用する場合のリソースマッピングプロセスを示す図である。
【図１６】本発明実施例において２つの隣接する５ＭＨｚ帯域幅のマルチキャリア周波数無線通信システムが非規則ＰＲＵを使用する場合のリソースマッピングプロセスを示す図である。
【図１７】本発明実施例において２つの隣接する５ＭＨｚ帯域幅が広帯域幅モード下である場合に不規則ＰＲＵを形成するリソースマッピングプロセスを示す図である。
【図１８】本発明実施例において２つの隣接する５ＭＨｚマルチキャリア周波数無線通信システムが特殊である場合のリソースマッピングプロセスの具体的な実例を示す図である。
【発明を実施するための形態】
【００２５】
関連技術においてマルチキャリアシステムでリソースマッピングを実現できない問題に対して、本発明は、マルチキャリアシステムでリソースマッピングを行う場合に、連続キャリア周波数間のガードサブキャリア（Ｇｕａｒｄ  Ｓｕｂｅａｒｒｉｅｒ）を物理リソースユニットとしてマッピングし、非連続キャリア周波数間のガードサブキャリアに対してマッピングを行わず、元の機能を維持することを提案する。これにより、マルチキャリアシステムにおいて無線リソースユニットのリソースマッピングプロセスが標準化され、マルチキャリアシステムでリソースマッピングを行うことができない問題が解決され、且つリソースのマッピングはマルチキャリア周波数ＯＦＤＭＡシステムの特徴に適応でき、マルチキャリア周波数を用いる基地局はスケジューリング要求に応じて適切なガードバンドリソースマッピング方法を選択できるようになる。これにより、周波数スペクトルリソース全体の使用がより柔軟かつ十分となり、ＯＦＤＭＡ技術に基づく無線通信システムの周波数スペクトル利用効率が保障される。
【００２６】
本発明の実施例によれば、リソースマッピング方法が提供される。
本発明の実施例に係るリソースマッピング方法は、連続キャリア周波数（２つ又は更に多い連続キャリア周波数）間のガードサブキャリアを物理リソースユニット（Ｐｈｙｓｉｃａｌ  Ｒｅｓｏｕｒｃｅ  Ｕｎｉｔ：ＰＲＵ）とすることを含む。ここで、連続キャリア周波数は、２つの隣接するキャリア周波数であり、且つこの２つのキャリア周波数間のガードサブキャリアの周波数領域間隔は所定値以下、即ち、２つの隣接するキャリア周波数において、その１つのキャリア周波数（より小さいキャリア周波数）の最後の１つのガードサブキャリアともう１つのキャリア周波数（より大きいキャリア周波数）の第１のガードサブキャリアとの間の周波数領域間隔は所定値以下（当該所定値は要求に応じて柔軟に設定でき、ここで制限しない）である。また、連続キャリア周波数間のガードサブキャリアは、連続キャリア周波数間の全部又は一部のガードサブキャリアであり、且つ、連続キャリア周波数間の周波数間隔はサブキャリア間隔の整数倍であり、即ち、２つの連続キャリア周波数の中心周波数ポイント間の周波数間隔はサブキャリア間隔の整数倍である。
【００２７】
非連続マルチキャリア周波数間のガードサブキャリアについて、このガードサブキャリアは、依然としてキャリア周波数間のガードに用いられ、即ち、依然としてガードサブキャリアとされ、ＰＲＵを形成することに用いられない。
【００２８】
マルチキャリア周波数システムのガードサブキャリアからなるＰＲＵについて、当該ＰＲＵはそれが位置するキャリア周波数の０個目の周波数パーティション（Ｆｒｅｑｕｅｎｃｙ  Ｐａｒｔｉｔｉｏｎ  ０：又はＦＰ０とも略称）に属し、即ち、当該ＰＲＵは当該キャリアシステムの０個目の周波数パーティションのスケジューリングに属していてもよい。又は、当該ＰＲＵはそれが位置するキャリア周波数の他の部分又は全部の周波数パーティションに属し、即ち、当該ＰＲＵは当該キャリアシステムの他の部分又は全部の周波数パーティションのスケジューリングに属していてもよい。任意選択で、０個目の周波数パーティションに属する原則の下、当該ＰＲＵは当該キャリア周波数の他の部分又は全部の周波数パーティションにも属してもよい。例えば、当該ＰＲＵは当該キャリアシステムの第１個、第２個、第３個の周波数パーティション（Ｆｒｅｑｕｅｎｃｙ  Ｐａｒｔｉｔｉｏｎ  １、２、３：ＦＰ１、ＦＰ２、ＦＰ３とも略称）にも属してもよい、即ち、当該ＰＲＵは当該キャリアシステムの第１個、第２個、第３個の周波数パーティションのスケジューリングに属してもよい。好ましくは、システムの事前割り当て、制御チャンネルの制御情報、管理メッセージ（管理メッセージは管理情報を伝送するためのＭＡＣ層のデータパケットであり、普通のデータパケットとの区別はそのペイロード（ｐａｙｌｏａｄ）がある管理情報を携帯するフィールドである。管理メッセージは、例えば、ネットワーク初期化における能力協議メッセージである。）の方式のいずれか１つに応じて前記物理リソースユニットに属する周波数パーティションを指示する。例えば、マルチキャリアシステムの制御チャンネルに１ビットの指示情報が設定される。当該ビット指示情報はマルチキャリアシステムのガードサブキャリアが０個目の周波数パーティション（ＦＰ０）に属するかを指示し、且つ、当該指示ビットは、１である場合に、物理リソースユニットはそれが位置するキャリア周波数のＦＰ０に属することを指示し、当該指示ビットは、０である場合に、物理リソースユニットがそれが位置するキャリア周波数のＦＰｌ、ＦＰ２、ＦＰ３周波数パーティションの中の１つ又は複数に属することを指示する。
【００２９】
物理リソースユニットのマッピングを行った後、ロジックリソースユニットのマッピングを行う必要がある。このとき、キャリア周波数においてガードサブキャリアによってマッピングされたＰＲＵ及び当該キャリア周波数において他のＰＲＵをロジックリソースユニットとしてマッピングしてもよい。
【００３０】
ロジックリソースユニットマッピングを行う場合に、マルチセルに関連するリソースマッピングプロセスは単に非ガードサブキャリアが形成したＰＲＵに対して動作を行い、マルチキャリア周波数システムのガードサブキャリアが形成した１つ又は複数のＰＲＵはマルチセルのリソースマッピングプロセスに関与しない。これは普通のシステムにおいてガードサブキャリアはＰＲＵを形成せず、すべての正常なデータＰＲＵはマルチセルリソースマッピングプロセスを単独で行い、マルチキャリアシステムをサポートしない端末は単に通常データのマルチセルリソースマッピングプロセスに応じてマッピングを行うため、ガードサブキャリアが形成したＰＲＵもマルチセルリソースマッピングプロセスに入れてしまうと、通常データＰＲＵの正常なマッピングに干渉し、これによって、マルチキャリアシステムをサポートしない普通の端末がアクセスするときに通常データＰＲＵのマッピング関係を正確に取得できない可能性があるからである。従って、マルチキャリア周波数システムのガードサブキャリアが形成した１つ又は複数のＰＲＵはマルチセルのリソースマッピングプロセスに関与しない。
【００３１】
ＰＲＵは正常にマッピングできない問題を避けるために、単にキャリア周波数においてガードサブキャリアによってマッピングされたＰＲＵ以外の他のＰＲＵだけに対してサブバンドパーティション及び／又はミニバンド置換を行い、即ち、キャリア周波数においてガードサブキャリアによってマッピングされたＰＲＵはロジックリソースユニットマッピングプロセスにおけるサブバンドパーティション及び／又はミニバンド置換処理に関与しない。
【００３２】
好ましくは、マルチキャリア周波数システムのガードサブキャリアにマッピングされた１つ又は複数のＰＲＵはセルが指定したリソースマッピングプロセスに単独で関与でき、これらのＰＲＵのセルに指定されたマッピングプロセスは通常データＰＲＵのセルに指定されたマッピングプロセスと互いに関係なく、具体的に、ガードサブキャリアがマッピングした１つ又は複数のＰＲＵに対して分散リソースユニット（Ｄｉｓｔｒｉｂｕｔｅｄ  Ｒｅｓｏｕｒｃｅ  Ｕｎｉｔ：ＤＲＵ）割当及びサブキャリア置換、隣接リソースユニット（Ｃｏｎｔｉｇｕｏｕｓ  Ｒｅｓｏｕｒｃｅ  Ｕｎｉｔ：ＣＲＵ）割当の動作における少なくとも１つを単独で行うことができる。
【００３３】
ＰＲＵによってマッピングされたロジックユニットのタイプは、連続リソースユニット及び／又は分散リソースユニットを含むことができる。具体的にどのタイプのロジックリソースユニットとしてマッピングするかは、システムの事前割り当て又は専用制御チャンネルの制御情報に応じて確定できる。制御情報はロジックリソースユニットタイプを指示するための指示ビットを含んでよく、且つ指示ビットは１つ又は複数のキャリア周波数のガードサブキャリアにマッピングされたＰＲＵがマッピングする必要なロジックリソースユニットタイプを指示することに用いられる。例えば、指示ビットは、マルチキャリアシステムのすべてのキャリア周波数においてガードサブキャリアにマッピングされたＰＲＵがマッピングする必要なロジックリソースユニットのタイプを指示し、各キャリア周波数のガードサブキャリアにマッピングされたＰＲＵがマッピングする必要なロジックリソースユニットのタイプをそれぞれ指示する。
【００３４】
一方、マルチキャリア周波数システムのガードサブキャリアにマッピングされたＰＲＵがマッピングする必要なロジックユニットタイプは分散リソースユニットであることを確定する場合、ロジックユニットマッピングを行うときに、分散リソースユニットの所定サブキャリアマッピング規則に応じてガードサブキャリアにマッピングされたＰＲＵを分散リソースユニットとしてマッピングする。また、これらの分散リソースユニットに対してデフォルト又は順序指定の順位付けを行い（これらの分散リソースユニットのインデックスに対する順位付けてよい）、そして順位付けた後の分散リソースユニットに対して番号付けを行う。
【００３５】
一方、マルチキャリア周波数システムのガードサブキャリアにマッピングされたＰＲＵがマッピングする必要なロジックユニットタイプは連続リソースユニットであることを確定する場合、これらの連続リソースユニットに対してデフォルト又は順序指定の順位付けを行い（これらの連続リソースユニットのインデックスに対する順位付けてよい）、そして順位付けた後の連続リソースユニットに対して番号付けを行う。
【００３６】
これ以外、マルチキャリアシステムがどれぐらいの数量のガードサブキャリアを含むか及びどのガードサブキャリアをＰＲＵとしてマッピングするかは、マルチキャリアシステムによって、制御シグナリング、又は管理メッセージ（管理メッセージは管理情報を伝送するためのＭＡＣ層データパケットであり、普通のデータパケットとの区別はそのペイロード（ｐａｙｌｏａｄ）が管理情報を携帯するフィールドである。管理メッセージは、例えば、ネットワーク初期化における能力協議メッセージである）で指示されてもよく、デフォルトでの配置してもよい。また、マルチキャリアシステムのガードサブキャリアがＰＲＵとしてマッピングに用いられるかについては、マルチキャリアシステムによって、制御シグナリング、又は管理メッセージ（例えば、ネットワーク初期化における能力協議メッセージ）で指示してもよいし、デフォルトでの配置してもよい。
【００３７】
以下、現行のマルチキャリア周波数通信システムのリソースマッピングとスケジューリング方式を合わせて本発明実施例に係るリソースマッピングプロセスを詳しく説明する。
【００３８】
一般的に、現在採用されるマルチキャリア周波数通信システムにおいて、帯域幅は複数のキャリア周波数上の帯域幅から共同で構成でき、複数のキャリア周波数の帯域幅は連続又は非連続でよく、異なるタイプの端末は異なる帯域幅をサポートすることができる。例えば、図１Ａに示すように、キャリア周波数１とキャリア周波数２の周波数スペクトルは連続である。図１Ｂに示すように、キャリア周波数１（全部で５１２個のサブキャリアがあり、番号は０〜５１１である）の番号５１１のサブキャリアは、キャリア周波数２（全部で５１２個のサブキャリアがあり、番号は０〜５１１である）の番号０のサブキャリアに隣接し、例えば、あるタイプのＯＦＤＭＡシステムにおいて、連続する２つのサブキャリア間の周波数間隔は１０．９４ＫＨｚである。キャリア周波数１（全部で５１２個のサブキャリアがあり、番号は０〜５１１である）の番号５１１のサブキャリアとキャリア周波数２（全部で５１２個のサブキャリアがあり、番号は０〜５１１）の番号０のサブキャリアとの間の周波数間隔が１０．９４ＫＨｚである場合、２つのキャリアの帯域幅は隣接すると認められる。一方、キャリア周波数３の周波数スペクトルはキャリア周波数１とキャリア周波数２との周波数スペクトルに連続せず、キャリア周波数２の最後の１つのサブキャリアとキャリア周波数３の第１のキャリアとの間により大きい周波数バンドが存在する。例えば、上記したＯＦＤＭＡシステムにおいて、連続する２つのサブキャリア間の周波数間隔は１０．９４ＫＨｚであるが、キャリア周波数２の最後の１つのサブキャリアとキャリア周波数３の第１のキャリア周波数との間隔は５ＭＨｚに達する。この場合、キャリア周波数３の周波数スペクトルはキャリア周波数２の周波数スペクトルに連続せず、端末１は同時に３つのキャリア周波数でデータを受信でき、端末２は同時にキャリア周波数１とキャリア周波数２でデータを受信でき、端末３は異なる時刻に順番にキャリア周波数２及びキャリア周波数３でデータを受信でき、端末４、端末５及び端末６はただ１つのキャリア周波数でデータを受信できる。
【００３９】
ＯＦＤＭＡ技術に基づく無線通信システムにおいて、リソースマッピングプロセスは物理リソース（例えば、物理サブキャリアを含む）をロジックリソースにマッピングでき、例えば、物理サブキャリアをロジックリソースブロック（Ｌｏｇｉｃ  Ｒｅｓｏｕｒｃｅ  Ｕｎｉｔ：ＬＲＵ）にマッピングし、基地局はロジックリソースブロックをスケジューリングすることによって無線リソースのスケジューリングを実現する。リソースマッピングの主な基準はＯＦＤＭＡシステムのフレーム構造とリソース構造である。フレーム構造は無線リソースを時間領域で異なるレベルのユニットに分類してスケジューリングを行い、例えば、スーパーフレーム（Ｓｕｐｅｒ−Ｆｒａｍｅ）、フレーム（Ｆｒａｍｅ）、サブフレーム（ＳｕｂＦｒａｍｅ  ）、及びシンボル（Ｓｙｍｂｏｌ）に分類される。
【００４０】
図２Ａに示すように、無線リソースは時間領域でスーパーフレームに分類され、各スーパーフレームは４個のフレームを含み、各フレームは８個のサブフレームを含み、サブフレームは６個の基本的なＯＦＤＭシンボルによって構成される（他の数量のＯＦＤＭシンボルによって構成されてもよい）。実際のシステムはサポートする必要な端末の移動速度、サービスレート及びサービスタイプ等の要素に応じてフレーム構造において各レベルユニットにどのぐらいのＯＦＤＭシンボルを含むかを確定する。
【００４１】
リソース構造について、サポートする必要なカバレッジ、端末の移動速度、サービスレート及びサービスタイプ等の要素に応じて使用可能な周波数バンドを周波数領域で複数の周波数サブバンド（Ｆｒｅｑｕｅｎｃｙ  Ｐａｒｔｉｔｉｏｎ：ＦＰ）に分類し、そして周波数サブバンド内の周波数リソースを複数の物理リソースユニットに分類し、そしてリソースマッピングを介して物理リソースユニットをロジックリソースユニットにマッピングしてスケジューリングを行う。ロジックリソースユニットは、隣接リソースユニット及び／又は分散リソースユニットに分類されてもよい。
【００４２】
図２Ｂに示すような５ＭＨｚ  ＯＦＤＭＡシステムでは、各物理リソースユニットは、連続する１８個のキャリアと６個の時間領域シンボルによって構成される。
【００４３】
図２Ｃに示すように、上記した５ＭＨｚ帯域幅における２４個のＰＲＵについて、サブバンドパーティション（Ｓｕｂｂａｎｄ  Ｐａｒｔｉｔｉｏｎ）を介して、すべてのＰＲＵは２つの部分に分類される。２つの部分のうち１つはサブバンド部分であり（図に白色ＰＲＵ部分が示すように）、もう１つはミニバンド部分である（図に黒色部分が示すように）。すべてのミニバンド部分のＰＲＵは１つのミニバンド置換（Ｍｉｎｉｂａｎｄ  Ｐｅｒｍｕｔａｔｉｏｎ）に応じて位置が乱され、順位再付け後のＰＲＵ（ＰＰＲＵＭＢとも称される）が取得される。そして、すべてのＰＲＵは周波数パーティション（Ｆｒｅｑｕｅｎｃｙ  Ｐａｒｔｉｔｉｏｎ）を介して１つ又は複数の周波数パーティションに割り当てられる。図３に示すように、２４個のＰＲＵは全て周波数パーティション０に割り当てられ、即ち、ＦＰ０に割り当てられ、且つ上記したサブバンドパーティション、ミニバンド置換及び周波数パーティションのプロセスはいずれもマルチセルリソースマッピング（Ｍｕｌｔｉ−Ｃｅｌｌ  Ｒｅｓｏｕｒｃｅ  Ｍａｐｐｉｎｇ）プロセスに属する。各周波数パーティションにおいて、当該周波数パーティションのすべてのＰＲＵはＣＲＵ／ＤＲＵ割り当て（ＣＲＵ／ＤＲＵ  Ａｌｌｏｃａｔｉｏｎ）とサブキャリア置換（  Ｓｕｂｅａｒｒｉｅｒ  Ｐｅｒｍｕｔａｔｉｏｎ）プロセスを介して、ロジックリソースユニット（ＬＲＵ）にマッピングされる。
【００４４】
これらのロジックリソースユニットはＣＲＵとＤＲＵに分類され、図２Ｃに示すように、ロジックリソースユニットは、ＣＲＵ番号がそれぞれ０、１、２、…，１１である１２個のＣＲＵと、ＤＲＵ番号がそれぞれ０、１、２…，１１である１２個のＤＲＵとを含む。ＣＲＵ／ＤＲＵ割り当てプロセスでは、どれぐらいの数量のＰＲＵがマッピングされるか及びどのＰＲＵがＣＲＵにマッピングされるかが決められる。ＰＲＵがＣＲＵにマッピングされるプロセスでは、ＰＲＵは、すべてのキャリアに順序を変えずに、ＣＲＵに直接マッピングされる。ＰＲＵが（ＣＲＵではない）ＤＲＵに対してマッピングされるプロセスでは、ＰＲＵは、１つのサブキャリア置換プロセスを介してＤＲＵにマッピングされる。ここでサブキャリア置換のマッピングプロセスでは、ＤＲＵに分類されたすべてのＰＲＵにおけるキャリアの位置が乱されて順序が再び付けられる。例えば、第ｔ個のサブフレームにおける第１の時間領域シンボル上の第ｓ個のＬＲＵ上の第ｍ個のキャリアペアでは、当該キャリアペアの実際の物理キャリアペアのインデックスＫは以下の式から得ることができる。
【００４５】
ｋ＝ＬＤＲＵ，ＦＰｉ・ｆ（ｍ，ｓ）＋ｇ（ＰｅｒｍＳｅｑ（），ｓ，ｍ，ｌ，ｔ）
上記式中、
ｇ（ＰｅｒｍＳｅｑ（），ｓ，ｍ，ｌ，ｔ）
＝（ＰｅｒｍＳｅｑ（ｆ（ｍ，ｓ）＋ｓ＋ｌ）ｍｏｄＬＤＲＵ，ＦＰｉ＋ＤＬ＿ＰｅｒｍＢａｓｅ）ｍｏｄＬＤＲＵ，ＦＰｉ
【００４６】
式中のＰｅｒｍＳｅｑ（）は長さがＬＤＲＵ，ＦＰｉの置換列である。上記したＣＲＵ／ＤＲＵ割り当て及びサブキャリア置換プロセスはいずれもセルが指定したリソースマッピングプロセス（Ｃｅｌｌ−Ｓｐｅｃｉｆｉｃ  Ｒｅｓｏｕｒｃｅ  Ｍａｐｐｉｎｇ）に属する。
【００４７】
基地局側は、上記したリソースマッピングプロセスを用いてすべてのＰＲＵをＬＲＵにマッピングした後、そのスケジューリングを全てＬＲＵで行い、且つ１つの特定の端末に通知し、そのデータリソースがどのＬＲＵに割り当てられるかを当該端末に知らせる。アクセスした端末がこれらのＬＲＵのインデックスを知った後、上記と同じマッピング規則とマッピングパラメーターとを用いて当該端末に割り当てたＬＲＵを実際の物理キャリアインデックスに実際にマッピングし、これにより自身のデータがどの真の物理サブキャリアに位置するかを知り、そして正確な時間−周波数位置からデータを受信する。
【００４８】
上記したマッピングプロセスが要求する必要なパラメーターは制御チャンネル又は制御シグナリングを介して端末に伝送される。このパラメーターとしては、例えば、どれくらいのＰＲＵがＳｕｂｂａｎｄ部分に割り当てられるか、どれくらいのＰＲＵがＭｉｎｉｂａｎｄ部分に割り当てられるか、どれくらいの周波数パーティションか、各周波数パーティションにどれくらいのＣＲＵ／ＤＲＵが割り当てられるか等が挙げられる。
【００４９】
以上のマルチキャリア周波数通信システムに基づき、以下、本発明の実施例に係るリソースマッピングプロセスの複数の実例を詳しく説明する。
【００５０】
実例１
本実例において、図４を参照し、２つの隣接する５ＭＨｚ帯域幅マルチキャリア周波数無線通信システムのリソースマッピングプロセスを示す。
【００５１】
図４中、５ＭＨｚ帯域幅の高速フーリエ変換（Ｆａｓｔ  Ｆｏｕｒｉｅｒ  Ｔｒａｎｓｆｏｒｍ：ＦＦＴ）点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【００５２】
それぞれの５ＭＨｚ帯域幅のリソース配置情報では、当該サブフレームが１つの周波数サブバンドＦＰ０に分類され、周波数サブバンド０は３つのリソースサブバンド（Ｓｕｂｂａｎｄ）、１２個の物理リソースユニットを含む。
【００５３】
左側（低周波数）の５ＭＨｚ帯域幅の左側（低周波数）には、４０個のガードサブキャリアがあり、右側（高周波数）には３９個のガードサブキャリアがあり、２つの隣接帯域幅の間に、３９＋４０＝７９個のガードサブキャリアがある。
【００５４】
リソース配置情報に応じた、ガード帯域幅におけるリソース形成プロセスは、以下の通りである。
【００５５】
図４に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１個の非変調ベースバンドデータのゼロ周波数キャリアが含まれる）、番号４７３〜４９０のサブキャリアを１つの物理リソースユニットの形成に関与することに用い、残った２１個のサブキャリア、即ち、番号４９１〜５１１のキャリアを、依然としてガードサブキャリアとする。
【００５６】
図４に示すように、右側の第２の５ＭＨｚ帯域幅の一番左側に位置する２２個のガードサブキャリア、即ち第２の５ＭＨｚ帯域幅のサブキャリア０〜２１を、依然としてガードサブキャリアとし、次の１８個のガードサブキャリア、即ちサブキャリア２２〜３９を、１個の物理リソースユニットの形成に用い、中央の４３３個のサブキャリア、即ち番号４０〜４７２のサブキャリアを通常データキャリアとし（その中に１個の非変調ベースバンドデータのゼロ周波数キャリアが含まれる）、残った３９個のサブキャリア、即ち番号４７３〜５１１のキャリアを、依然としてガードサブキャリアとする。
【００５７】
リソース配置情報に応じた、リソースマッピングプロセスは、以下の通りである。
【００５８】
図４に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第１のキャリアの５ＭＨｚ帯域幅の周波数パーティションゼロＦＰ０スケジューリングに属し、且つＦＰ０中のＣＲＵ１２に番号が付け直される。
【００５９】
図４に示すように、第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第２のキャリア帯域幅の周波数パーティションゼロＦＰ０スケジューリングに属し、且つＦＰ０中のＣＲＵ１２に番号が付け直される。
【００６０】
実例２
図５は、本実例において２つの隣接する１０ＭＨｚ帯域幅マルチキャリア周波数無線通信システムのリソースマッピングプロセスを示す図である。
【００６１】
図５中、１０ＭＨｚ帯域幅のＦＦＴ点数は１０２４であり、サブフレーム内の利用可能なサブキャリアは、その数が８６４個であり、このサブキャリアは、全部で４８個の物理リソースユニットに分類され、それぞれのサイズは１８×６である。それぞれの１０ＭＨｚ帯域幅の左側（低周波数）ガードバンドには８０個のガードサブキャリアがあり、右側（高周波数）には７９個のガードサブキャリアがある。
【００６２】
それぞれの１０ＭＨｚ帯域幅のキャリアリソース配置情報では、当該サブフレームがそれぞれＦＰ０、ＦＰ１、ＦＰ２、ＦＰ３の４つの周波数サブバンドに分類される。それぞれの周波数サブバンドは１２個のリソースユニットを含む。
【００６３】
左側（低周波数）の１０ＭＨｚ帯域幅のマルチキャリアシステムの左側（低周波数）には、８０個のガードサブキャリアがあり、右側（高周波数）には、７９個のガードサブキャリアがあり、２つの隣接システムの間に、７９＋８０＝１５９個のガードサブキャリアがある。
【００６４】
リソース配置情報に応じた、ガード帯域幅におけるリソース形成プロセスは、以下の通りである。
【００６５】
図５に示すように、左側の第１の１０ＭＨｚ帯域幅の一番左側に位置する８０個のサブキャリア、即ち第１の１０ＭＨｚ帯域幅のサブキャリア０〜７９を、依然としてガードサブキャリアとし、中央の８６５個のサブキャリア、即ち番号８０〜９４４のサブキャリアを、通常データキャリアとし（その中に１つの非変調ベースバンドデータのゼロ周波数キャリアが含まれる）、次の３６個のサブキャリア、即ち番号９４５〜９８０のサブキャリアを２つの物理リソースユニットの形成に関与することに用い、残った４３個のサブキャリア、即ち番号９８１〜１０２３のキャリアを、依然としてガードサブキャリアとする。
【００６６】
図５に示すように、右側の第２の１０ＭＨｚ帯域幅の一番左側に位置する４４個のガードサブキャリア、即ち第２の１０ＭＨｚ帯域幅のサブキャリア０〜４３を、依然としてガードサブキャリアとし、次の３６個のガードサブキャリア、即ちサブキャリア４４〜７９を、２つの物理リソースユニットの形成に用い、中央の８６５個のサブキャリア、即ち番号８０〜９４４のサブキャリアを、通常データキャリアとし（その中に１つの非変調ベースバンドデータのゼロ周波数キャリアが含まれる）、残った７９個のサブキャリア、即ち番号９４５〜１０２３のキャリアを、依然としてガードサブキャリアとする。
【００６７】
リソース配置情報に応じた、リソースマッピングプロセスは、以下の通りである。
【００６８】
図５に示すように、第１のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第１のキャリアの１０ＭＨｚ帯域幅の周波数パーティションゼロＦＰ０スケジューリングに属し、且つ左から右までの（低周波数から高周波数まで）の順序に応じてＦＰ０中のＣＲＵ８、ＣＲＵ９に番号が付け直される。
【００６９】
図５に示すように、第２のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第２のキャリア帯域幅の周波数パーティションゼロＦＰ０スケジューリングに属し、且つ左から右までの（低周波数から高周波数まで）の順序に応じてＦＰ０中のＣＲＵ８、ＣＲＵ９に番号が付け直される。
【００７０】
実例３
図６は、本実例において２つの隣接帯域幅のマルチキャリア周波数無線通信システムを示す図である。図６には、左側（低周波数）が１つの５ＭＨｚ帯域幅であり、右側（高周波数）が１つの１０ＭＨｚ帯域幅である場合のガードバンドリソースマッピングプロセスが示されている。
【００７１】
図６中、５ＭＨｚ帯域幅のFFT点数は５１２であり、サブフレーム内で利用可能なサブキャリアは、その数が４３２個であり、このサブキャリアは、全部で２４個の物理リソースユニットに分類され、それぞれのサイズは１８×６である。５ＭＨｚ帯域幅の左側（低周波数）ガードバンドには４０個のガードサブキャリアがあり、右側には３９個のガードサブキャリアがある。
【００７２】
図６中、１０ＭＨｚ帯域幅のＦＦＴ点数は１０２４であり、サブフレーム内で利用可能なサブキャリアは、その数が８６４個であり、このサブキャリアは、全部で４８個の物理リソースユニットに分類され、それぞれのサイズは１８×６である。それぞれの１０ＭＨｚ帯域幅の左側（低周波数）ガードバンドには８０個のガードサブキャリアがあり、右側には７９個のガードサブキャリアがある。
【００７３】
５ＭＨｚ帯域幅のリソース配置情報では、当該サブフレームが１つの周波数サブバンドＦＰ０に分類され、１０ＭＨｚキャリアシステムリソース配置情報では、当該サブフレームが、それぞれＦＰ０、ＦＰｌ、ＦＰ２、ＦＰ３の４つの周波数サブバンドに分類される。それぞれの周波数サブバンドは１２個のリソースユニットを含む。
【００７４】
左側（低周波数）の５ＭＨｚ帯域幅の左側（低周波数）には、４０個のガードサブキャリアがあり、１０ＭＨｚ帯域幅の右側（高周波数）には７９個のガードサブキャリアがあり、２つの隣接システム間に、３９＋８０＝１１９個のガードサブキャリアがある。
【００７５】
リソース配置情報に応じた、ガード帯域幅におけるリソース形成プロセスは、以下の通りである。
【００７６】
図６に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、番号４７３〜４９０のサブキャリアを１つの物理リソースユニットの形成に関与することに用い、残った２１個のサブキャリア、即ち、番号４９１〜５１１のキャリアを、依然としてガードサブキャリアとする。
【００７７】
図６に示すように、右側の第２の１０ＭＨｚ帯域幅の一番左側に位置する６２個のガードサブキャリア、即ち第２の１０ＭＨｚ帯域幅のサブキャリア０〜６１を、依然としてガードサブキャリアとし、次の１８個のガードサブキャリア、即ちサブキャリア６２〜７９を、１つの物理リソースユニットの形成に用い、中央の８６５個のサブキャリア、即ち番号８０〜９４４のサブキャリアを、通常データキャリアとし（その中に１つの非変調ベースバンドデータのゼロ周波数キャリアが含まれる）、残った７９個のサブキャリア、即ち番号９４５〜１０２３のキャリアを、依然としてガードサブキャリアとする。
【００７８】
リソース配置情報に応じた、リソースマッピングプロセスは、以下の通りである。
【００７９】
図６に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第１のキャリアの５ＭＨｚ帯域幅の周波数パーティションゼロＦＰ０スケジューリングに属し、且つ左から右まで（低周波数から高周波数まで）の順序に応じてＦＰ０中のＣＲＵ１２に番号が付け直される。
【００８０】
図６に示すように、第２のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第２のキャリア帯域幅の周波数パーティションゼロＦＰ０スケジューリングに属し、且つ左から右まで（低周波数から高周波数まで）の順序に応じてＦＰ０中のＣＲＵ８に番号が付け直される。
【００８１】
実例４
図７は、本実例において２つの隣接する５ＭＨｚ帯域幅のマルチキャリア周波数無線通信システムのリソースマッピングプロセスを示す図である。
【００８２】
図７中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【００８３】
それぞれの５ＭＨｚキャリア帯域幅のリソース配置情報では、当該サブフレームが１つの周波数サブバンドＦＰ０に分類され、周波数サブバンド０は１つの隣接リソースグループを含み、６つの物理リソースユニットを含む。
【００８４】
左側（低周波数）の５ＭＨｚ帯域幅のマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【００８５】
リソース配置情報に応じた、ガード帯域幅におけるリソース形成プロセスは、以下の通りである。
【００８６】
図７に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、番号４７３〜５０８のサブキャリアを２つの物理リソースユニットの形成に関与することに用い、残った３つのサブキャリア、即ち、番号５０９〜５１１のキャリアを、依然としてガードサブキャリアとする。
【００８７】
図７に示すように、右側の第２の５ＭＨｚ帯域幅の一番左側に位置する４０個のガードサブキャリア、即ち第２の５ＭＨｚ帯域幅のサブキャリア０〜３９を、依然としてガードサブキャリアとし、中央の４３３個のサブキャリア、即ち番号４１〜４７３のサブキャリアを、通常データキャリアとし（その中に１つの非変調ベースバンドデータのゼロ周波数キャリアが含まれる）、残った３９個のサブキャリア、即ち番号４７４〜５１１のキャリアを、依然としてガードサブキャリアとする。
【００８８】
リソース配置情報に応じた、リソースマッピングプロセスは、以下の通りである。
【００８９】
図７に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（前記制御チャンネルの指示情報に応じて）ガードバンド内の２つの物理リソースユニットがＤＲＵにマッピングされ、且つ当該２つの物理リソースユニット内でサブキャリア置換規則に応じてサブキャリア置換が行われる。この物理リソースユニットは、第１のキャリアの５ＭＨｚ帯域幅の周波数パーティションゼロＦＰ０スケジューリングに属し、且つ左から右までの（低周波数から高周波数まで）順序に応じてＦＰ０中のＤＲＵ１２、ＤＲＵ１３に番号が付け直される。
【００９０】
図７に示すように、第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。
【００９１】
実例５
図８は本実例において２つの隣接する１０ＭＨｚマルチキャリア周波数無線通信システムのリソースマッピングプロセスを示す図である。
【００９２】
図８中、１０ＭＨｚ帯域幅のＦＦＴ点数は１０２４であり、サブフレーム内で利用可能なサブキャリアは、その数が８６４個であり、このサブキャリアは、４８個の物理リソースユニットに分類され、それぞれのサイズは１８×６である。それぞれの１０ＭＨｚ帯域幅の左側（低周波数）ガードバンドには８０個のガードサブキャリアがあり、右側に（高周波数）は７９個のガードサブキャリアがある。
【００９３】
それぞれの１０ＭＨｚのキャリアシステムリソース配置情報では、当該サブフレームは、それぞれＦＰ０、ＦＰ１、ＦＰ２、ＦＰ３の４個の周波数サブバンドに分類される。それぞれの周波数サブバンドは１２個のリソースユニットを含む。
【００９４】
左側（低周波数）の１０ＭＨｚ帯域幅のマルチキャリアシステムの左側（低周波数）には、８０個のガードサブキャリアがあり、右側（高周波数）には７９個のガードサブキャリアがあり、２つの隣接システム間に、７９＋８０＝１５９個のガードサブキャリアがある。
【００９５】
リソース配置情報に応じた、ガード帯域幅におけるリソース形成プロセスは、以下の通りである。
【００９６】
図８に示すように、左側の第１の１０ＭＨｚ帯域幅の一番左側に位置する８０個のサブキャリア、即ち第１の１０ＭＨｚ帯域幅のサブキャリア０〜７９を、依然としてガードサブキャリアとし、中央の８６５個のサブキャリア、即ち番号８０〜９４４のサブキャリアを、通常データキャリアとし（その中に１つの非変調ベースバンドデータのゼロ周波数キャリアが含まれる）、次の３６個のサブキャリア、即ち番号９４５〜９８０のサブキャリアを、２つの物理リソースユニットの形成に関与することに用い、残った４３個のサブキャリア、即ち番号９８１〜１０２３のキャリアを、依然としてガードサブキャリアとする。
【００９７】
図８に示すように、右側の第２の１０ＭＨｚ帯域幅の一番左側に位置する４４個のガードサブキャリア、即ち第２の１０ＭＨｚ帯域幅のサブキャリア０〜４３を、依然としてガードサブキャリアとし、次の３６個のガードサブキャリア、即ちサブキャリア４４〜７９を、２つの物理リソースユニットの形成に用い、中央の８６５個のサブキャリア、即ち番号８０〜９４４サブキャリアを、通常データキャリアとし（その中に１つの非変調ベースバンドデータのゼロ周波数キャリアが含まれる）、残った７９個のサブキャリア、即ち番号９４５〜１０２３のキャリアを、依然としてガードサブキャリアとする。
【００９８】
リソース配置情報に応じた、リソースマッピングプロセスは、以下の通りである。
【００９９】
図８に示すように、第１のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（前記制御チャンネルの指示情報に応じて）ガードバンド内の物理リソースユニットがＤＲＵにマッピングされ、且つ当該２つの物理リソースユニット内で、サブキャリア置換規則に応じてサブキャリアの置換が行われる。この物理リソースユニットは、第１のキャリアの１０ＭＨｚ帯域幅の周波数パーティションゼロＦＰ０スケジューリングに属し、且つ左から右までの（低周波数から高周波数まで）の順序に応じてＦＰ０中のＤＲＵ４、ＤＲＵ５に番号が付け直される。
【０１００】
図８に示すように、第２のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＤＲＵにマッピングされ、且つ当該２つの物理リソースユニット内で、サブキャリア置換規則に応じてサブキャリアの置換が行われる。この物理リソースユニットは、第２のキャリア帯域幅の周波数パーティションゼロＦＰ０スケジューリングに属し、且つ左から右までの（低周波数から高周波数まで）の順序に応じてＦＰ０中のＤＲＵ４、ＤＲＵ５に番号が付け直される。
【０１０１】
実例６
図９は本実例において２つの隣接する１０ＭＨｚマルチキャリア周波数無線通信システムのリソースマッピングプロセスを示す図である。
【０１０２】
図９中、１０ＭＨｚ帯域幅のＦＦＴ点数は１０２４であり、サブフレーム内で利用可能なサブキャリアは、その数が８６４個であり、このサブキャリアは、４８個の物理リソースユニットに分類され、それぞれのサイズは１８×６である。それぞれの１０ＭＨｚ帯域幅の左側（低周波数）ガードバンドには８０個のガードサブキャリアがあり、右側（高周波数）には７９個のガードサブキャリアがある。
【０１０３】
それぞれの１０ＭＨｚのキャリアシステムリソース配置情報では、当該サブフレームは、それぞれＦＰ０、ＦＰ１、ＦＰ２、ＦＰ３の４つの周波数サブバンドに分類される。それぞれの周波数サブバンドは１２個のリソースユニットを含む。
【０１０４】
左側（低周波数）の１０ＭＨｚのマルチキャリアシステムの左側（低周波数）には、８０個のガードサブキャリアがあり、右側（高周波数）には７９個のガードサブキャリアがあり、２つの隣接システム間に、７９＋８０＝１５９個のガードサブキャリアがある。
【０１０５】
リソース配置情報に応じたガード帯域幅におけるリソース形成プロセスは、以下の通りである。
【０１０６】
図９に示すように、左側の第１の１０ＭＨｚ帯域幅の一番左側に位置する８０個のサブキャリア、即ち第１の１０ＭＨｚ帯域幅のサブキャリア０〜７９を、依然としてガードサブキャリアとし、中央の８６５個のサブキャリア、即ち番号８０〜９４４のサブキャリアを、通常データキャリアとし（その中に１つの非変調ベースバンドデータのゼロ周波数キャリアが含まれる）、次の３６個のサブキャリア、即ち番号９４５〜９８０のサブキャリアを、２つの物理リソースユニットの形成に関与することに用い、残った４３個のサブキャリア、即ち番号９８１〜１０２３のキャリアを、依然としてガードサブキャリアとする。
【０１０７】
図９に示すように、右側の第２の１０ＭＨｚ帯域幅の一番左側に位置する４４個のガードサブキャリア、即ち第２の１０ＭＨｚ帯域幅のサブキャリア０〜４３を、依然としてガードサブキャリアとし、次の３６個のガードサブキャリア、即ちサブキャリア４４〜７９を、２つの物理リソースユニットの形成に用い、中央の８６５個のサブキャリア、即ち番号８０〜９４４サブキャリアを、通常データキャリアとし（その中に１つの非変調ベースバンドデータのゼロ周波数キャリアが含まれる）、残った７９個のサブキャリア、即ち番号９４５〜１０２３のキャリアを、依然としてガードサブキャリアとする。
【０１０８】
リソース配置情報に応じた、リソースマッピングプロセスは、以下の通りである。
【０１０９】
図９に示すように、第１のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、制御チャンネルの指示情報に応じてガードバンド内の物理リソースユニットがＤＲＵにマッピングされ、且つ当該２つの物理リソースユニット内で、サブキャリア置換規則に応じてサブキャリアの置換が行われる。この物理リソースユニットは、第１のキャリアの１０ＭＨｚ帯域幅の周波数パーティションゼロＦＰ０スケジューリングに属し、且つ左から右までの（低周波数から高周波数まで）の順序に応じてＦＰ０中のＤＲＵ４、ＤＲＵ５に番号が付け直される。
【０１１０】
図９に示すように、第２のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、制御チャンネルの指示情報に応じてガードバンド内の物理リソースユニットがＣＲＵにマッピングされる。この物理リソースユニットは、第２のキャリア帯域幅の周波数パーティションゼロＦＰ０スケジューリングに属し、且つ左から右までの（低周波数から高周波数まで）の順序に応じてＦＰ０中のＣＲＵ８、ＣＲＵ９に番号が付け直される。
【０１１１】
実例７
図１０は、本実例において２つの隣接する１０ＭＨｚマルチキャリア周波数無線通信システムが広帯域幅システムである場合のリソースマッピングプロセスを示す図である。
【０１１２】
図１０中、１０ＭＨｚ帯域幅のＦＦＴ点数は１０２４であり、サブフレーム内で利用可能なサブキャリアは、その数が８６４個であり、このサブキャリアは、４８個の物理リソースユニットに分類され、それぞれのサイズは１８×６である。それぞれの１０ＭＨｚ帯域幅の左側（低周波数）ガードバンドには８０個のガードサブキャリアがあり、右側（高周波数）には７９個のガードサブキャリアがある。
【０１１３】
それぞれの１０ＭＨｚのキャリアシステムリソース配置情報では、当該サブフレームは、それぞれＦＰ０、ＦＰ１、ＦＰ２、ＦＰ３の４つの周波数サブバンドに分類される。それぞれの周波数サブバンドは１２個のリソースユニットを含む。
【０１１４】
左側（低周波数）１０ＭＨｚ帯域幅のマルチキャリアシステムの左側（低周波数）には、８０個のガードサブキャリアがあり、右側（高周波数）には７９個のガードサブキャリアがあり、２つの隣接システム間に、７９＋８０＝１５９個のガードサブキャリアがある。
【０１１５】
リソース配置情報に応じたガード帯域幅におけるリソース形成プロセスは、以下の通りである。
【０１１６】
図１０に示すように、左側の第１の１０ＭＨｚ帯域幅の一番左側に位置する８０個のサブキャリア、即ち第１の１０ＭＨｚ帯域幅のサブキャリア０〜７９を、依然としてガードサブキャリアとし、中央の８６５個のサブキャリア、即ち番号８０〜９４４のサブキャリアを、通常データキャリアとし、次の７２個のサブキャリア（９４５〜１０１６）をガード物理リソースユニットとし、次の７個のサブキャリア（１０１７〜１０２３）を、ガードサブキャリアとして、データを変調する。
【０１１７】
図１０に示すように、右側の第２の１０ＭＨｚ帯域幅の一番左側に位置する８個のガードサブキャリア、即ち第２の１０ＭＨｚ帯域幅のサブキャリア０〜７を、依然としてガードサブキャリアとし、次の７２個のガードサブキャリア（８〜７９）を４個の物理リソースユニットの形成に用い、中央の８６５個のサブキャリア、即ち番号８０〜９４４のサブキャリアを、通常データキャリアとし、次の７９個のサブキャリア（９４４〜１０２３）をガードサブキャリアとする。
【０１１８】
リソース配置情報に応じた、リソースマッピングプロセスは、以下の通りである。
【０１１９】
図１０に示すように、第１のキャリアの１０ＭＨｚ帯域幅では、番号８０〜１０１５のサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。また、番号１０３３〜１９６８のサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、制御チャンネルの指示情報に応じて第１のキャリアシステムにおけるガードバンド内の４つの物理リソースユニットがＤＲＵにマッピングされ、且つ当該４つの物理リソースユニット内で、サブキャリア置換規則に応じてサブキャリアの置換が行われる。この物理リソースユニットは、それぞれが第１のキャリアの１０ＭＨｚ帯域幅の周波数パーティションゼロＦＰ０スケジューリングに属し、且つ左から右までの（低周波数から高周波数まで）の順序に応じて第１のシステムにおけるＦＰ０中のＤＲＵ４、ＤＲＵ５、ＤＲＵ６、ＤＲＵ７に番号が付け直される。
【０１２０】
図１０に示すように、第２のキャリアの１０ＭＨｚ帯域幅では、まず通常データサブキャリアによって形成された４８個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、制御チャンネルの指示情報に応じてガードバンド内の物理リソースユニットがＣＲＵにマッピングされる。この物理リソースユニットは、第２のキャリア帯域幅の周波数パーティションゼロＦＰ０スケジューリングに属し、且つ左から右までの（低周波数から高周波数まで）の順序に応じてＦＰ０中のＣＲＵ８、ＣＲＵ９、ＣＲＵ１０、ＣＲＵ１１に番号が付け直される。
【０１２１】
実例８
図１１は、本実例において２つの隣接する２０ＭＨｚ帯域幅のリソースマッピングプロセスを示す図である。
【０１２２】
図１１中、２０ＭＨｚ帯域幅のＦＦＴ点数は２０４８であり、サブフレーム内で利用可能なサブキャリアは、その数が１７２８個であり、このサブキャリアは、９６個の物理リソースユニットに分類され、それぞれのサイズは１８×６である。それぞれの２０ＭＨｚ帯域幅の左側（低周波数）ガードバンドには１６０個のガードサブキャリアがあり、右側（高周波数）には１５９個のガードサブキャリアがある。
【０１２３】
それぞれの２０ＭＨｚのキャリアシステムリソース配置情報では、当該サブフレームが３つの周波数サブバンドＦＰ１、ＦＰ２、ＦＰ３に分類される。それぞれの周波数リソースユニットは３２個の物理リソースユニットを含む。
【０１２４】
左側（低周波数）２０ＭＨｚのマルチキャリアシステムの左側（低周波数）には、１６０個のガードサブキャリアがあり、右側（高周波数）には１５９個のガードサブキャリアがあり、２つの隣接システム間に、１６０＋１５９＝３１９個のガードサブキャリアがある。
【０１２５】
リソース配置情報に応じた、ガード帯域幅におけるリソース形成プロセスは、以下の通りである。
【０１２６】
図１１に示すように、左側の第１の２０ＭＨｚ帯域幅の一番左側に位置する１６０個のサブキャリア、即ち第１の２０ＭＨｚ帯域幅のサブキャリア０〜１５９を、依然としてガードサブキャリアとし、中央の１７２９個のサブキャリア、即ち番号１６０〜１８８８のサブキャリアを、通常データキャリアとし（その中に１つの非変調ベースバンドデータのゼロ周波数キャリアが含まれる）、番号１８８９〜１９６０のサブキャリアを４つの物理リソースユニットの形成に関与することに用い、残った８７個のサブキャリア、即ち、番号１９６１〜２０４７のキャリアを、依然としてガードサブキャリアとする。
【０１２７】
図１１に示すように、右側の第２の２０ＭＨｚ帯域幅の一番左側に位置する８８個のガードサブキャリア、即ち第２の２０ＭＨｚ帯域幅のサブキャリア０〜８７を、依然としてガードサブキャリアとし、次の７２個のガードサブキャリア、即ちサブキャリア８８〜１５９を、４つの物理リソースユニットの形成に用い、中央の１７２９個のサブキャリア、即ち番号１６０〜１８８８のサブキャリアを、通常データキャリアとし（その中に１つの非変調ベースバンドデータのゼロ周波数キャリアが含まれる）、残った１５９個のサブキャリア、即ち番号１８８９〜２０４７のキャリアを、依然としてガードサブキャリアとする。
【０１２８】
リソース配置情報に応じた、リソースマッピングプロセスは、以下の通りである。
【０１２９】
図１１に示すように、第１のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第１のキャリアの２０ＭＨｚ帯域幅の周波数パーティションゼロＦＰ０スケジューリングに属し、且つＦＰ０中のＣＲＵ０、ＣＲＵ１、ＣＲＵ２、ＣＲＵ３に番号が付け直される。
【０１３０】
図１１に示すように、第２のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第２のキャリアシステムの周波数パーティションゼロＦＰ０スケジューリングに属し、且つＦＰ０中のＣＲＵ０、ＣＲＵ１、ＣＲＵ２、ＣＲＵ３に番号が付け直される。
【０１３１】
実例９
図１２は、本実例において２つの隣接する２０ＭＨｚ帯域幅のリソースマッピングプロセスを示す図である。
【０１３２】
図１２中、２０ＭＨｚ帯域幅のＦＦＴ点数は２０４８であり、サブフレーム内で利用可能なサブキャリアは、その数が１７２８個であり、このサブキャリアは、９６個の物理リソースユニットに分類され、それぞれのサイズは１８×６である。それぞれの２０ＭＨｚ帯域幅の左側（低周波数）ガードバンドには１６０個のガードサブキャリアがあり、右側（高周波数）には１５９個のガードサブキャリアがある。
【０１３３】
それぞれの２０ＭＨｚのキャリアシステムリソース配置情報では、当該サブフレームが３個の周波数サブバンドＦＰ１、ＦＰ２、ＦＰ３に分類される。それぞれの周波数リソースユニットは３２個の物理リソースユニットを含む。
【０１３４】
左側（低周波数）の２０ＭＨｚのマルチキャリアシステムの左側（低周波数）には、１６０個のガードサブキャリアがあり、右側（高周波数）には１５９個のガードサブキャリアがあり、２つの隣接システム間に、１６０＋１５９＝３１９個のガードサブキャリアがある。
【０１３５】
リソース配置情報に応じた、ガード帯域幅におけるリソース形成プロセスは、以下の通りである。
【０１３６】
図１２に示すように、左側の第１の２０ＭＨｚ帯域幅の一番左側に位置する１６０個のサブキャリア、即ち第１の２０ＭＨｚ帯域幅のサブキャリア０〜１５９を、依然としてガードサブキャリアとし、中央の１７２９個のサブキャリア、即ち番号１６０〜１８８８のサブキャリアを、通常データキャリアとし（その中に１つの非変調ベースバンドデータのゼロ周波数キャリアが含まれる）、次の１４４個のサブキャリア、即ち番号１８８９〜２０３２のサブキャリアを、８個の物理リソースユニットの形成に関与することに用い、残った１５個のサブキャリア、即ち番号２０３３〜２０４７のキャリアを、依然としてガードサブキャリアとする。
【０１３７】
図１２に示すように、右側の第２の２０ＭＨｚ帯域幅の一番左側に位置する１４２個のガードサブキャリア、即ち第２の２０ＭＨｚ帯域幅のサブキャリア０〜１４１を、依然としてガードサブキャリアとし、次の１８個のガードサブキャリア、即ちサブキャリア１４２〜１５９を、１つの物理リソースユニットの形成に用い、中央の１７２９個のサブキャリア、即ち番号１６０〜１８８８のサブキャリアを通常データキャリアとし（その中に１つの非変調ベースバンドデータのゼロ周波数キャリアが含まれる）、残った１５９個のサブキャリア、即ち番号１８８９〜２０４７のキャリアを、依然としてガードサブキャリアとする。
【０１３８】
リソース配置情報に応じた、リソースマッピングプロセスは、以下の通りである。
【０１３９】
図１２に示すように、第１のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第１のキャリアの２０ＭＨｚ帯域幅の周波数パーティションゼロＦＰ０スケジューリングに属し、且つＦＰ０中のＣＲＵ０、ＣＲＵ１、ＣＲＵ２、ＣＲＵ３、ＣＲＵ４、ＣＲＵ５、ＣＲＵ６、ＣＲＵ７に番号が付け直される。
【０１４０】
図１２に示すように、第２のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の物理リソースユニットがＣＲＵにマッピングされる。この物理リソースユニットは、第２のキャリアシステムの周波数パーティションゼロＦＰ０スケジューリングに属し、且つＦＰ０中のＣＲＵ０に番号が付け直される。
【０１４１】
実例１０
図１３は、本実例において２つの隣接する２０ＭＨｚ帯域幅のマルチキャリア周波数システムが広帯域幅モードである場合のリソースマッピングプロセスを示す図である。
【０１４２】
図１３中、２０ＭＨｚ帯域幅のＦＦＴ点数は２０４８であり、サブフレーム内で利用可能なサブキャリアは、その数が１７２８個であり、このサブキャリアは、９６個の物理リソースユニットに分類され、それぞれのサイズは１８×６である。それぞれの２０ＭＨｚ帯域幅の左側（低周波数）ガードバンドには１６０個のガードサブキャリアがあり、右側（高周波数）には１５９個のガードサブキャリアがある。
【０１４３】
それぞれの２０ＭＨｚのキャリアシステムリソース配置情報では、当該サブフレームが３つの周波数サブバンドＦＰ１、ＦＰ２、ＦＰ３に分類され、それぞれの周波数リソースユニットは３２個の物理リソースユニットを含む。
【０１４４】
左側（低周波数）２０ＭＨｚのマルチキャリアシステムの左側（低周波数）には、１６０個のガードサブキャリアがあり、右側（高周波数）には１５９個のガードサブキャリアがあり、２つの隣接システム間に、１６０＋１５９＝３１９個のガードサブキャリアがある。
【０１４５】
リソース配置情報に応じた、ガード帯域幅におけるリソース形成プロセスは、以下の通りである。
【０１４６】
図１３に示すように、左側の第１の２０ＭＨｚ帯域幅の一番左側に位置する１６０個のサブキャリア、即ち第１の２０ＭＨｚ帯域幅のサブキャリア０〜１５９を、依然としてガードサブキャリアとし、中央の１７２９個のサブキャリア、即ち番号１６０〜１８８８のサブキャリアを、通常データキャリアとし（その中に１つの非変調ベースバンドデータのゼロ周波数キャリアが含まれる）、残った１５９個のガードサブキャリアと、右側の第２の２０ＭＨｚ帯域幅の一番左側に位置する１６０個のガードサブキャリア（合計で３１９個のガードサブキャリア）とを共に、１７個のＰＲＵの形成に用い、次の第２の２０ＭＨｚ帯域幅の１７２９個のサブキャリア、即ち番号１６０〜１８８８のサブキャリアを、通常データキャリアとし（その中に１つ非変調ベースバンドデータのゼロ周波数キャリアが含まれる）、残った１５９個のサブキャリア、即ち番号１８８９〜２０４７のキャリアを、依然としてガードサブキャリアとする。
【０１４７】
リソース配置情報に応じた、リソースマッピングプロセスは、以下の通りである。
【０１４８】
図１３に示すように、第１のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。第２のキャリアの２０ＭＨｚ帯域幅では、まず通常データサブキャリアによって形成された９６個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。これらのプロセスはいずれもガードバンド内サブキャリアによって形成された物理リソースユニットに関連しない。最後に、（任意選択で、前記制御チャンネルの指示情報に応じて）ガードバンド内の１７個の物理リソースユニットがＣＲＵにマッピングされる。この物理リソースユニットは、この広帯域幅マルチキャリアシステムの周波数パーティションゼロＦＰ０スケジューリングに属し、且つＦＰ０中のＣＲＵ０〜ＣＲＵ１７に番号が付け直される。
【０１４９】
実例１１
図１４は、本実例において２つの隣接する５ＭＨｚ帯域幅が広帯域幅モードである場合の不規則ＰＲＵを形成するリソースマッピングプロセスを示す図である。
【０１５０】
図１４中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【０１５１】
それぞれの５ＭＨｚのキャリアシステムリソース配置情報では、該サブフレームが１つの周波数サブバンドＦＰ０に分類され、周波数サブバンド０は３つのリソースサブバンド（Ｓｕｂｂａｎｄ）、１２個の物理リソースユニットを含む。
【０１５２】
左側（低周波数）の５ＭＨｚのマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【０１５３】
リソース配置情報に応じた、ガード帯域幅におけるリソース形成プロセスは、以下の通りである。
【０１５４】
図１４に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、次の３９個のガードサブキャリアと、右側の第２の５ＭＨｚ帯域幅の一番左側に位置する４０個のガードサブキャリア（合計で７９個のガードサブキャリア）とを、９個のガードサブキャリアを残して、サイズが「１４個のサブキャリア×ｎ個の時間領域シンボル」である５つの不規則ＰＲＵを形成することに用い、第２の５ＭＨｚ帯域幅の中央の４３３個サブキャリア、即ち番号４１〜４７３のサブキャリアを、通常データキャリアとし（その中に１つの非変調ベースバンドデータのゼロ周波数キャリアが含まれる）、残った３９個のサブキャリア、即ち番号４７４〜５１１のキャリアを、依然としてガードサブキャリアとする。
【０１５５】
リソース配置情報に応じた、リソースマッピングプロセスは、以下の通りである。
【０１５６】
図１４に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＣＲＵにマッピングされる。この物理リソースユニットは、第１のキャリアの５ＭＨｚ帯域幅又は第２のキャリアの５ＭＨｚ帯域幅の周波数パーティションゼロＦＰ０スケジューリングに属し、且つＦＰ０中のＣＲＵ１２、ＣＲＵ１３、ＣＲＵ１４、ＣＲＵ１５、ＣＲＵ１６に番号が付け直される。
【０１５７】
実例１２
図１５は本実例において２つの隣接する５ＭＨｚ帯域幅のマルチキャリア周波数無線通信システムに非規則ＰＲＵが使用された場合のリソースマッピングプロセスを示す図である。
【０１５８】
図１５中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【０１５９】
それぞれの５ＭＨｚのキャリアシステムリソース配置情報では、当該サブフレームが１つの周波数サブバンドＦＰ０に分類され、周波数サブバンド０は３つのリソースサブバンド（Ｓｕｂｂａｎｄ）、１２個の物理リソースユニットを含む。
【０１６０】
左側（低周波数）の５ＭＨｚのマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【０１６１】
リソース配置情報に応じた、ガード帯域幅におけるリソース形成プロセスは、以下の通りである。
【０１６２】
図１５に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、番号４７３〜５００のサブキャリアを、２つの物理リソースユニット（それぞれの物理リソースユニットが１４個のサブキャリアを含む）の形成に関与することに用い、残った１１つサブキャリア、即ち、番号５０１〜５１１のキャリアを、依然としてガードサブキャリアとする。
【０１６３】
図１５に示すように、右側の第２の５ＭＨｚ帯域幅の一番左側に位置する１２個のガードサブキャリア、即ち第２の５ＭＨｚ帯域幅のサブキャリア０〜１１を、依然としてガードサブキャリアとし、次の２８個のガードサブキャリア、即ちサブキャリア１２〜３９を、１つの物理リソースユニットの形成に用い、中央の４３３個のサブキャリア、即ち番号４０〜４７２のサブキャリアを、通常データキャリアとし（その中に１つの非変調ベースバンドデータのゼロ周波数キャリアが含まれる）、残った３９個のサブキャリア、即ち番号４７３〜５１１のキャリアを、依然としてガードサブキャリアとする。
【０１６４】
リソース配置情報に応じた、リソースマッピングプロセスは、以下の通りである。
【０１６５】
図１５に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＣＲＵにマッピングされる。この物理リソースユニットは、第１のキャリアの５ＭＨｚ帯域幅の周波数パーティションゼロＦＰ０スケジューリングに属し、且つＦＰ０中のＣＲＵ１２、ＣＲＵ１３に番号が付け直される。
【０１６６】
図１５に示すように、第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＣＲＵにマッピングされる。この物理リソースユニットは、第２のキャリアシステムの周波数パーティションゼロＦＰ０スケジューリングに属し、且つＦＰ０中のＣＲＵ１２、ＣＲＵ１３に番号が付け直される。
【０１６７】
実例１３
図１６は、本実例において２つの隣接する５ＭＨｚ帯域幅のマルチキャリア周波数無線通信システムに非規則ＰＲＵが使用された場合のリソースマッピングプロセスを示す図である。
【０１６８】
図１６中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【０１６９】
それぞれの５ＭＨｚのキャリアシステムリソース配置情報では、当該サブフレームが１つの周波数サブバンドＦＰ０に分類され、周波数サブバンド０は３つのリソースサブバンド（Ｓｕｂｂａｎｄ）、１２個の物理リソースユニットを含む。
【０１７０】
左側（低周波数）の５ＭＨｚのマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【０１７１】
リソース配置情報に応じた、ガード帯域幅におけるリソース形成プロセスは、以下の通りである。
【０１７２】
図１６に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、番号４７３〜５００のサブキャリアを２つの物理リソースユニット（それぞれの物理リソースユニットが１４個のサブキャリアを含む）の形成に関与することに用い、残った１１個のサブキャリア、即ち番号５０１〜５１１のキャリアを、依然としてガードサブキャリアとする。
【０１７３】
図１６に示すように、右側の第２の５ＭＨｚ帯域幅の一番左側に位置する１２個のガードサブキャリア、即ち第２の５ＭＨｚ帯域幅のサブキャリア０〜１１を、依然としてガードサブキャリアとし、次の２８個のガードサブキャリア、即ちサブキャリア１２〜３９を、１つの物理リソースユニットの形成に用い、中央の４３３個のサブキャリア、即ち番号４０〜４７２のサブキャリアを、通常データキャリアとし（その中に１つの非変調ベースバンドデータのゼロ周波数キャリアが含まれる）、残った３９個のサブキャリア、即ち番号４７３〜５１１キャリアを、依然としてガードサブキャリアとする。
【０１７４】
リソース配置情報に応じた、リソースマッピングプロセスは、以下の通りである。
【０１７５】
図１６に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＤＲＵにマッピングされる。この物理リソースユニットは、第１のキャリアの５ＭＨｚ帯域幅の周波数パーティションゼロＦＰ０スケジューリングに属し、且つＦＰ０中のＣＲＵ１２、ＣＲＵ１３に番号が付け直される。
【０１７６】
図１６に示すように、第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＤＲＵにマッピングされる。この物理リソースユニットは、第２のキャリア帯域幅の周波数パーティションゼロＦＰ０スケジューリングに属し、且つＦＰ０中のＣＲＵ１２、ＣＲＵ１３に番号が付け直される。
【０１７７】
実例１４
図１７は、本実例において２つの隣接する５ＭＨｚ帯域幅が広帯域幅モードである場合に不規則ＰＲＵを形成するときのリソースマッピングプロセスを示す図である。
【０１７８】
図１７中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【０１７９】
それぞれの５ＭＨｚのキャリアシステムリソース配置情報では、当該サブフレームが１つの周波数サブバンドＦＰ０に分類され、周波数サブバンド０は３つのリソースサブバンド（Ｓｕｂｂａｎｄ）、１２個の物理リソースユニットを含む。
【０１８０】
左側（低周波数）の５ＭＨｚのマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【０１８１】
リソース配置情報に応じた、ガード帯域幅におけるリソース形成プロセスは、以下の通りである。
【０１８２】
図１７に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、次の３９個のガードサブキャリアと、右側の第２の５ＭＨｚ帯域幅の一番左側に位置する４０個のガードサブキャリア（合計で７９個のガードサブキャリア）とを、９個のガードサブキャリアを残して、サイズが「１４個のサブキャリア×ｎ個の時間領域シンボル」である５個の不規則ＰＲＵを形成することに用い、第２の５ＭＨｚ帯域幅の中央の４３３個のサブキャリア、即ち番号４１〜４７３のサブキャリアを、通常データキャリアとし（その中に１つの非変調ベースバンドデータのゼロ周波数キャリアが含まれる）、残った３９個のサブキャリア、即ち番号４７３〜５１１のキャリアを、依然としてガードサブキャリアとする。
【０１８３】
リソース配置情報に応じた、リソースマッピングプロセスは、以下の通りである。
【０１８４】
図１７に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットがＤＲＵにマッピングされる。この物理リソースユニットは、第１のキャリアの５ＭＨｚ帯域幅又は第２のキャリアの５ＭＨｚ帯域幅の周波数パーティションゼロＦＰ０スケジューリングに属し、且つＦＰ０中のＤＲＵ１２、ＤＲＵ１３、ＤＲＵ１４、ＤＲＵ１５、ＤＲＵ１６に番号が付け直される。
【０１８５】
実例１５
図１８は本実例における２つの隣接する５ＭＨｚマルチキャリア周波数無線通信システムが特殊である場合でのリソースマッピングプロセスを示す図である。
【０１８６】
図における２つの５ＭＨｚ帯域幅のマルチキャリアシステムでは、基地局側がある特殊タイプの端末にサポートを提供し、あるサブフレームにおいて、ガードキャリアによって形成されたＰＲＵがＤＲＵにマッピングされる場合、ガードサブキャリアによって形成されたＰＲＵと通常データサブキャリアによって形成されたＰＲＵとに対して、一緒にサブキャリア置換が行なわれる。
【０１８７】
図１８中、５ＭＨｚ帯域幅のＦＦＴ点数は５１２であり、サブフレーム内で利用可能なサブキャリアは、その数が４３２個であり、このサブキャリアは、２４個の物理リソースユニットに分類され、それぞれのサイズは１８×６である。それぞれの５ＭＨｚ帯域幅の左側（低周波数）ガードバンドには４０個のガードサブキャリアがあり、右側（高周波数）には３９個のガードサブキャリアがある。
【０１８８】
それぞれの５ＭＨｚのキャリアシステムリソース配置情報では、当該サブフレームが１つの周波数サブバンドＦＰ０に分類され、周波数サブバンド０は３つのリソースサブバンド（Ｓｕｂｂａｎｄ）、１２個の物理リソースユニットを含む。
【０１８９】
左側（低周波数）の５ＭＨｚのマルチキャリアシステムの左側（低周波数）には、４０個のガードサブキャリアがあり、右側（高周波数）には３９個のガードサブキャリアがあり、２つの隣接システム間に、３９＋４０＝７９個のガードサブキャリアがある。
【０１９０】
リソース配置情報に応じた、ガード帯域幅におけるリソース形成プロセスは、以下の通りである。
【０１９１】
図１８に示すように、左側の第１の５ＭＨｚ帯域幅の一番左側に位置する４０個のサブキャリア、即ち第１の５ＭＨｚ帯域幅のサブキャリア０〜３９を、依然としてガードサブキャリアとし、中央の４３３個のサブキャリア、即ち番号４０〜４７２のサブキャリアを、通常データキャリアとし（その中に１つの非変調ベースバンドデータのゼロ周波数キャリアが含まれる）、番号４７３〜４９０サブキャリアを１つの物理リソースユニットの形成に関与することに用い、残った２１個のサブキャリア、即ち、番号４９１〜５１１のキャリアを、依然としてガードサブキャリアとする。
【０１９２】
図１８に示すように、右側の第２の５ＭＨｚ帯域幅の一番左側に位置する２２個のガードサブキャリア、即ち第２の５ＭＨｚ帯域幅のサブキャリア０〜２１を、依然としてガードサブキャリアとし、次の１８個のガードサブキャリア、即ちサブキャリア２２〜３９を、１つの物理リソースユニットの形成に用い、中央の４３３個のサブキャリア、即ち番号４０〜４７２のサブキャリアを、通常データキャリアとし（その中に１つの非変調ベースバンドデータのゼロ周波数キャリアが含まれる）、残った３９個のサブキャリア、即ち番号４７３〜５１１キャリアを、依然としてガードサブキャリアとする。
【０１９３】
リソース配置情報に応じた、リソースマッピングプロセスは、以下の通りである。
【０１９４】
図１８に示すように、第１のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当て、及びＤＲＵにおけるサブキャリア置換が行われる。最後に、（任意選択で、前記制御チャンネルの指示情報に応じて）ガードバンド内の物理リソースユニットと周波数パーティションＦＰ０におけるすべてのＤＲＵとが一緒に、サブキャリア置換され、置換後のＤＲＵが取得される。それらは全て第１のキャリアの５ＭＨｚ帯域幅の周波数パーティションゼロＦＰ０スケジューリングに属する。
【０１９５】
図１８に示すように、第２のキャリアの５ＭＨｚ帯域幅では、まず通常データサブキャリアによって形成された２４個の物理リソースユニットに対してサブバンドパーティション（Ｓｕｂｂａｎｄ  Ｐａｒｔｉｔｉｏｎ）が行われ、そしてミニバンド置換（Ｍｉｎｉｂａｎｄ  Ｐｅｒｍｕｔａｔｉｏｎ）が行われ、そしてＣＲＵ／ＤＲＵ割り当てが行われる。最後に、（任意選択で、前記制御チャンネルの指示情報に応じて）ガードバンド内の物理リソースユニットと周波数パーティションＦＰ０におけるすべてのＤＲＵとが一緒に、サブキャリア置換され、置換後のＤＲＵが取得される。それらは全て第１のキャリアの５ＭＨｚ帯域幅の周波数パーティションゼロＦＰ０スケジューリングに属する。
【０１９６】
上記した本発明の技術的なスキームを用いて、マルチキャリアシステムに対してリソースマッピングを行う場合に、連続キャリア周波数間のガードサブキャリアを物理リソースユニットとしてマッピングし、非連続キャリア周波数間のガードサブキャリアの元の機能を維持する。これにより、マルチキャリアシステムでリソースマッピングを行うことができない問題が解決され、マルチキャリアシステムにおいて無線リソースユニットのリソースマッピングプロセスが標準化され、且つ、リソースのマッピングがマルチキャリア周波数ＯＦＤＭＡシステムの特徴に適応することができる。これにより、マルチキャリア周波数を用いる基地局がスケジューリング要求に応じて適当なガードバンドリソースマッピング方法を選択するようになり、これにより周波数スペクトルリソース全体を更に柔軟かつ十分に使用することができ、マルチキャリアシステム（例えば、ＯＦＤＭＡ技術に基づく無線通信システム）の周波数スペクトル利用効率を保障することができる。
【０１９７】
上記したものは、本発明の好ましい実施例に過ぎず、本発明の保護範囲を限定することに用いられるものではなく、当業者にとっては、様々な修正と変更を実施することができる。本発明の思想及び要旨を逸脱しない範囲での様々の修正、等価な置換、改善などは、本発明の保護範囲に含まれると理解すべきである。
【図１Ａ】
0005461687.tif 000002
【図１Ｂ】
0005461687.tif 000003
【図２Ａ】
0005461687.tif 000004
【図２Ｂ】
0005461687.tif 000005
【図２Ｃ】
0005461687.tif 000006
【図３】
0005461687.tif 000007
【図４】
0005461687.tif 000008
【図５】
0005461687.tif 000009
【図６】
0005461687.tif 000010
【図７】
0005461687.tif 000011
【図８】
0005461687.tif 000012
【図９】
0005461687.tif 000013
【図１０】
0005461687.tif 000014
【図１１】
0005461687.tif 000015
【図１２】
0005461687.tif 000016
【図１３】
0005461687.tif 000017
【図１４】
0005461687.tif 000018
【図１５】
0005461687.tif 000019
【図１６】
0005461687.tif 000020
【図１７】
0005461687.tif 000021
【図１８】
0005461687.tif 000022